(57)【要約】【解決手段】嵌合部材Ｖ１及び係止部材Ｖ２が形成されたカードホルダーＳを、容器Ｂに取り付ける際に．カードホルダーに形成された嵌合部材を、容器に穿設された長孔ｂ２ａ、ｂ２ｂに挿入した後、カードホルダーを、容器に沿って水平移動させることにより、係止部材の弾性片部ｖ２ａに形成された係止突部ｖ２ｂを、容器に穿設された長孔ｂ２ｃに嵌合させて、カードホルダーを、容器に取り付けるように構成したものである。【効果】カードホルダーを変形させることなく、容器に取り付けることができるので、弾性変形することが困難な板状のＩＣカードが収容された状態のカードホルダーを、容器に取り付けることができる。【選択図】図１３
2010083502.tif 000002
【特許請求の範囲】
【請求項１】
嵌合部材及び係止部材が形成されたカードホルダーを、容器に取り付ける際に．前記カードホルダーに形成された嵌合部材を、前記容器に穿設された長孔に挿入した後、前記カードホルダーを、前記容器に沿って水平移動させることにより、前記係止部材の弾性片部に形成された係止突部を、前記容器に穿設された長孔に嵌合させることにより、前記カードホルダーが、前記容器に取り付けるように構成されていることを特徴とするカードホルダー。
【発明の詳細な説明】
【技術分野】
【０００１】
本発明は、物品の行き先、物品名、種類、数量等の種々の情報が蓄積されたカードを収容するカードホルダーに関するものである。
【背景技術】
【０００２】
カードホルダーを、合成樹脂で成形し、弾性変形可能に構成するとともに、カードホルダーに形成された脚部を、容器の側壁に形成された透孔に挿着することにより、カードホルダーを、容器に取り付けるように構成されたカードホルダーが、一例として、特許文献１に開示されている。
【０００３】
【特許文献１】特許３２９４７０６号公報
【発明の開示】
【発明が解決しようとする課題】
【０００４】
上述した従来のカードホルダーにおいては、カードホルダーを変形させることにより、カードホルダーを、容器に取り付けるように構成されているために、弾性変形することが困難な板状のＩＣカード等を、カードホルダーに収容した状態で、カードホルダーを、容器に取り付けることが不可能であった。
【０００５】
また、上述した従来のカードホルダーは、カードホルダーが変形すると、カードホルダーが、簡単に、容器から外れ落ちるという問題があった。
【０００６】
本発明の目的は、上述した従来のカードホルダーが有する課題を解決することにある。
【課題を解決するための手段】
【０００７】
本発明は、上述した目的を達成するために、嵌合部材及び係止部材が形成されたカードホルダーを、容器に取り付ける際に．カードホルダーに形成された嵌合部材を、容器に穿設された長孔に挿入した後、カードホルダーを、容器に沿って水平移動させることにより、係止部材の弾性片部に形成された係止突部を、容器に穿設された長孔に嵌合させて、カードホルダーを、容器に取り付けるように構成したものである。
【発明の効果】
【０００８】
本発明は、上述した構成を有するので、以下に記載する効果を奏することができるものである。
【０００９】
嵌合部材及び係止部材が形成されたカードホルダーを、容器に取り付ける際に．カードホルダーに形成された嵌合部材を、容器に穿設された長孔に挿入した後、カードホルダーを、容器に沿って水平移動させることにより、係止部材の弾性片部に形成された係止突部を、容器に穿設された長孔に嵌合させて、カードホルダーを、容器に取り付けるように構成したので、カードホルダーを変形させることなく、容器に取り付けることができるので、弾性変形することが困難な板状のＩＣカードが収容された状態のカードホルダーを、容器に取り付けることができる。
【実施例】
【００１０】
以下に、本発明の実施例について説明するが、本発明の趣旨を越えない限り、何ら、本実施例に限定されるものではない。
【００１１】
１は、カードホルダー本体であり、カードホルダー本体１は、略方形状の奥壁１ａと、奥壁１ａの上辺１ａ１から、奥壁１ａに対して垂直方向に延在する上端水平フランジ１ｂと、奥壁１ａの下辺１ａ２から、奥壁１ａに対して垂直方向に、且つ、上端水平フランジ１ｂと同じ方向に延在する下端水平フランジ１ｃと、奥壁１ａの相対する側辺１ａ３、１ａ４のうちの一方の側辺１ａ３から、奥壁１ａに対して垂直方向に、且つ、上端水平フランジ１ｂや下端水平フランジ１ｃと同じ方向に延在する垂直側部フランジ１ｄを有しており、垂直側部フランジ１ｄは、上端水平フランジ１ｂの一端と下端水平フランジ１ｃの一端とを連結するように構成されている。
【００１２】
上端水平フランジ１ｂの先端から、奥壁１ａと略平行に、且つ、その一部が、垂直側部フランジ１ｄの上部に達するように、上部垂下壁１ｅが垂下されており、また、下端水平フランジ１ｃの先端からも、奥壁１ａと略平行に、且つ、その一部が、垂直側部フランジ１ｄの下部に達するように、下部垂下壁１ｆが立設されている。なお、以下においては、奥壁１ａの上部垂下壁１ｅ及び下部垂下壁１ｆと対向する面を前面と称し、符号１ａ’が付されており、また、前面１ａ’と反対側の面を、裏面と称し、符号１ａ”が付されている。
【００１３】
上部垂下壁１ｅの垂直側部フランジ１ｄ側に位置する部分（以下、上部垂直部と称する。）１ｅ１と下部垂下壁１ｆの垂直側部フランジ１ｄ側に位置する部分（以下、下部垂直部と称する。）１ｆ１との間には、所定の間隙が形成されている。また、上部垂下壁１ｅの上端水平フランジ１ｂに沿った部分（以下、上部水平部と称する。）１ｅ２は、奥壁１ａの相対する側辺１ａ３、１ａ４のうちのもう一方の側辺１ａ４まで達することがないように構成されており、同様に、下部垂下壁１ｆの下端水平フランジ１ｃに沿った部分（以下、下部水平部と称する。）１ｆ２も、奥壁１ａの相対する側辺１ａ３、１ａ４のうちのもう一方の側辺１ａ４まで達することがないように構成されている。
【００１４】
上端水平フランジ１ｂの側端（相対する側辺１ａ３、１ａ４のうちのもう一方の側辺１ａ４側に位置する側端）１ｂ１と奥壁１ａのもう一方の側辺１ａ４との間に位置する奥壁１ａには、上端水平フランジ１ｂに連接されているとともに、奥壁１ａに対して略垂直な上部係止ロッド１ｇが形成されており、上部係止ロッド１ｇは、上端水平フランジ１ｂの先端から突出した突出部１ｇ１を有している。同様に、下端水平フランジ１ｃの側端（相対する側辺１ａ３、１ａ４のうちのもう一方の側辺１ａ４側に位置する側端）と奥壁１ａのもう一方の側辺１ａ４との間に位置する奥壁１ａには、下端水平フランジ１ｃに連接されているとともに、奥壁１ａに対して略垂直な下部係止ロッド１ｈが形成されており、下部係止ロッド１ｈは、下部水平フランジ１ｃの先端から突出した突出部１ｈ１を有している。
【００１５】
２は、ＩＣカードの側部を保護する側部保護蓋である。側部保護蓋２は、縦長の板状部２ａを有しており、また、板状部２ａの相対する長辺２ａ１、２ａ２のうちの一方の長辺２ａ２には、板状部２ａに対して略垂直に、側壁部２ｂが形成されており、板状部２ａと側壁部２ｂとにより、側部保護蓋２の平面形状は、略Ｌ字状に形成されている。
【００１６】
また、板状部２ａの上端と側壁部２ｂの上端には、板状部２ａと側壁部２ｂにより形成される隅部方向に延出する、平面形状が、略Ｌ字状の上端水平帯状リブ２ｃが形成されており、同様に、板状部２ａの下端と側壁部２ｂの下端には、板状部２ａと側壁部２ｂにより形成される隅部方向に延出する、平面形状が、略Ｌ字状の下端水平帯状リブ２ｄが形成されている。なお、以下においては、上端水平帯状リブ２ｃ及び下端水平帯状リブ２ｄが延出されている側の板状部２ａの面を、内面と称し、符号２ａ’が付されており、また、内面２ａ’と反対側の面を、外面と称し、符号２ａ”が付されている。
【００１７】
更に、上端水平帯状リブ２ｃ付近に位置する側壁部２ｂには、横長の上部係止スリット２ｅが穿設されており、同様に、下端水平帯状リブ２ｄ付近に位置する側壁部２ｂにも、横長の下部係止スリット２ｆが穿設されている。
【００１８】
カードホルダー本体１を構成する奥壁１ａの相対する側辺１ａ３、１ａ４のうちの一方の側辺１ａ４側の奥壁１ａの垂直端面１ａ５と、側部保護蓋２を構成する板状部２ａの相対する長辺２ａ１、２ａ２のうちの一方の長辺２ａ１側の垂直端面２ａ３とが、適当なヒンジ部を介して、ヒンジ連結されることにより、カードホルダー本体１の垂直側部フランジ１ｄが形成されていない側部が、側部保護蓋２により、閉鎖されるように構成されている。したがって、カードホルダー本体１が、側部保護蓋２により、被蓋された状態においては、カードホルダー本体１を構成する奥壁１ａは、上端水平フランジ１ｂと下端水平フランジ１ｃと垂直側部フランジ１ｄと側部保護蓋２により、周辺部全体が囲撓されることになるように構成されている。
【００１９】
カードホルダー本体１を構成する奥壁１ａの裏面１ａ”と垂直端面１ａ５とにより形成されるカードホルダー本体１側の外側角部Ｃ１と、側部保護蓋２を構成する板状部２ａの内面２ａ’と垂直端面２ａ３とにより形成される側部保護蓋２側の内側角部Ｃ２とを、カードホルダー本体１側の外側角部Ｃ１及び側部保護蓋２側の内側角部Ｃ２に沿って、線状或いは点状に連結することにより、ヒンジ連結部Ｈ１を介して、カードホルダー本体１と側部保護蓋２とがヒンジ連結されるように構成されている。
【００２０】
図３及び図４に示されているように、カードホルダー本体１を構成する奥壁１ａの垂直端面１ａ５と側部保護蓋２を構成する板状部２ａの垂直端面２ａ３とが、略一直線状に配置された場合には、カードホルダー本体１を構成する奥壁１ａの裏面１ａ”と側部保護蓋２を構成する板状部２ａの内面２ａ’も、略一直線状に配置されるように構成されている。
【００２１】
図５に示されているように、カードホルダー本体１を構成する奥壁１ａの裏面１ａ”に、側部保護蓋２を構成する板状部２ａの垂直端面２ａ３が当接或いは近接するように、換言すれば、カードホルダー本体１を構成する奥壁１ａに対して、側部保護蓋２を構成する板状部２ａが、略垂直となるように、側部保護蓋２を、ヒンジ連結部Ｈ１を中心に回動させることにより、カードホルダー本体１の垂直側部フランジ１ｄが形成されていない側部から、カードホルダー本体１に、板状のＩＣカードＫが挿着可能なように、側部保護蓋２を退避させる。
【００２２】
次いで、カードホルダー本体１の垂直側部フランジ１ｄが形成されていない側部から、図５及び図６に示されているように、ＩＣカードＫの上部水平端部ｋ１を、カードホルダー本体１を構成する奥壁１ａと上端水平フランジ１ｂと上部垂下壁１ｅとにより形成される上部水平空間Ａ１内に挿入するとともに、ＩＣカードＫの下部水平端部ｋ２を、カードホルダー本体１を構成する奥壁１ａと下端水平フランジ１ｃと下部垂下壁１ｆとにより形成される下部水平空間Ａ２内に挿入する。更に、ＩＣカードＫの挿入方向先端面ｋ３を、カードホルダー本体１を構成する垂直側部フランジ１ｄに近接或いは当接させると、ＩＣカードＫの挿入方向の上部角部ｋ４が、カードホルダー本体１を構成する奥壁１ａと上端水平フランジ１ｂと垂直側部フランジ１ｄと上部垂直部１ｅ１とにより形成される上部角部空間Ａ３内に挿入されるとともに、ＩＣカードＫの挿入方向の下部角部ｋ５が、カードホルダー本体１を構成する奥壁１ａと下端水平フランジ１ｃと垂直側部フランジ１ｄと下部垂直部１ｆ１とにより形成される下部角部空間Ａ４内に挿入されることになり、ＩＣカードＫの全体が、カードホルダー本体１内に配置されることになる。なお、上部水平空間Ａ１、下部水平空間Ａ２、上部角部空間Ａ３及び下部角部空間Ａ４は、図８に示されている。
【００２３】
その後、側部保護蓋２を、ヒンジ連結部Ｈ１を中心に、側部保護蓋２の板状部２ａが、カードホルダー本体１を構成する奥壁１ａと略垂直となるように、回動させることにより、カードホルダー本体１の垂直側部フランジ１ｄが形成されていない側部が、図７に示されているように、側部保護蓋２により被蓋されることになる。
【００２４】
上述したようにして、カードホルダー本体１の垂直側部フランジ１ｄが形成されていない側部が、側部保護蓋２により被蓋された状態においては、ＩＣカードＫのカードホルダー本体１の垂直側部フランジ１ｄ側に位置する上部角部ｋ４が、カードホルダー本体１を構成する奥壁１ａと上端水平フランジ１ｂと垂直側部フランジ１ｄと上部垂直部１ｅ１とにより形成される上部角部空間Ａ３内に配置されるとともに、ＩＣカードＫのカードホルダー本体１の垂直側部フランジ１ｄ側に位置する下部角部ｋ５が、カードホルダー本体１を構成する奥壁１ａと下端水平フランジ１ｃと垂直側部フランジ１ｄと下部垂直部１ｆ１とにより形成される下部角部空間Ａ４内に配置され、また、ＩＣカードＫの上部水平端部ｋ１が、カードホルダー本体１を構成する奥壁１ａと上端水平フランジ１ｂと上部垂下壁１ｅとにより形成される上部水平空間Ａ１内に配置されるとともに、ＩＣカードＫの下部水平端部ｋ２が、カードホルダー本体１を構成する奥壁１ａと下端水平フランジ１ｃと下部垂下壁１ｆとにより形成される下部水平空間Ａ２内に配置され、更に、ＩＣカードＫの側部保護蓋２側の垂直部ｋ６全体が、カードホルダー本体１を構成する奥壁１ａと側部保護蓋２を構成する板状部２ａと同じく側部保護蓋２を構成する側壁部２ｂとにより形成される側部垂直空間Ａ５内に配置されるように構成されている。したがって、カードホルダー本体１と側部保護蓋２とから構成されているカードホルダーＳにより、少なくとも、ＩＣカードＫの全周側面Ｋ’が保護されるので、カードホルダーＳが、他の物体に当接して、ＩＣカードＫが損傷するようなことを防止することができる。
【００２５】
また、カードホルダー本体１の垂直側部フランジ１ｄが形成されていない側部を、側部保護蓋２により被蓋する過程においては、上述したように、側部保護蓋２が、ヒンジ連結部Ｈ１を中心に、図６に示されている状態から、カードホルダー本体１方向に回動することになるが、この側部保護蓋２の回動途中において、側部保護蓋２の側壁部２ｂの垂直先端面２ｂ１が、先ず最初に、カードホルダー本体１に形成された上部係止ロッド１ｇ及び下部係止ロッド１ｈに当接することになる。この状態から、更に、側部保護蓋２の回動を続行させると、側部保護蓋２の弾性変形により、側部保護蓋２の側壁部２ｂが、上部係止ロッド１ｇ及び下部係止ロッド１ｈを越えることになる。このようにして、側部保護蓋２の側壁部２ｂが、上部係止ロッド１ｇ及び下部係止ロッド１ｈを越えた時点で、側部保護蓋２の弾性復元力により、側部保護蓋２が元の位置に戻ることにより、カードホルダー本体１に形成された上部係止ロッド１ｇの突出部１ｇ１が、側部保護蓋２を構成する側壁部２ｂに穿設された上部係止スリット２ｅに嵌合するとともに、カードホルダー本体１に形成された下部係止ロッド１ｈの突出部１ｈ１が、側部保護蓋２を構成する側壁部２ｂに穿設された下部係止スリット２ｆに嵌合することになる。
【００２６】
上述したように、カードホルダー本体１の垂直側部フランジ１ｄが形成されていない側部が、側部保護蓋２により被蓋された状態においては、カードホルダー本体１に形成された上部係止ロッド１ｇの突出部１ｇ１が、側部保護蓋２を構成する側壁部２ｂに穿設された上部係止スリット２ｅに嵌合され、また、カードホルダー本体１に形成された下部係止ロッド１ｈの突出部１ｈ１が、側部保護蓋２を構成する側壁部２ｂに穿設された下部係止スリット２ｆに嵌合されているので、簡単には、側部保護蓋２が、カードホルダー本体１から、離反するようなことがなく、したがって、ＩＣカードＫが、カードホルダーＳから抜け出るようなことを防止することができる。
【００２７】
なお、カードホルダー本体１の垂直側部フランジ１ｄが形成されていない側部が、側部保護蓋２により被蓋された状態においては、側部保護蓋２の上端水平帯状リブ２ｃの下面２ｃ１が、カードホルダー本体１の上部係止ロッド１ｇの上面に当接或いは近接するように構成されているとともに、側部保護蓋２の下端水平帯状リブ２ｄの上面２ｄ１が、カードホルダー本体１の下部係止ロッド１ｈの上面に当接或いは近接するように構成されている。このように構成することにより、カードホルダー本体１の垂直側部フランジ１ｄが形成されていない側部が、側部保護蓋２により被蓋された状態において、側部保護蓋２が、カードホルダー本体１に対して、上下方向に移動するようなことが防止され、したがって、カードホルダー本体１と側部保護蓋２とのヒンジ連結点Ｈ１が損傷するようなことを防止することができる。
【００２８】
次に、図３、図５及び図９〜図１５を用いて、ＩＣカードＫが収容されたカードホルダーＳを、一例として、容器Ｂの側壁Ｂ’に取り付ける手段について説明する。
【００２９】
図９及び図１０に示されているように、容器Ｂの側壁Ｂ’の中央部には、側壁Ｂ’を、内側から外側に向かって膨出させることにより、奥壁部ｂ１ａと天部ｂ１ｂと底部ｂ１ｃと相対する側部ｂ１ｄとからなる正面形状が方形状の凹部ｂ１が形成されているとともに、奥壁部ｂ１ａには、所定の間隔を置いて、３個の縦長の長孔ｂ２ａ、ｂ２ｂ、ｂ２ｃが、水平方向に並設するように穿設されている。
【００３０】
一方、カードホルダー本体１を構成する奥壁１ａの裏面１ａ”には、所定の間隔を置いて、一対の弾性変形可能な嵌合部材Ｖ１が、水平方向に並設するように形成されている。嵌合部材Ｖ１は、奥壁１ａの裏面１ａ”に垂直な垂直片ｖ１ａと、該垂直片ｖ１ａの先端から、カードホルダー本体１を構成する垂直側部フランジ１ｄ方向に、且つ、奥壁１ａに略平行に延在する嵌合片ｖ１ｂとから構成されており、嵌合片ｖ１ｂの先端部には、奥壁１ａから離れる方向に傾斜した傾斜誘導部ｖ１ｂ’が形成されている。
【００３１】
また、嵌合部材Ｖ１に並設して、カードホルダー本体１を構成する奥壁１ａには、係止部材Ｖ２が形成されている。係止部材Ｖ２は、奥壁１ａに、コの字状のスリットＥを穿設することにより形成された片持ち状の弾性片部ｖ２ａと、片持ち状の弾性片部ｖ２ａの自由端部に形成された、奥壁１ａの裏面１ａ”から突出する係止突部ｖ２ｂとを有している。また、係止部材Ｖ２を構成する片持ち状の弾性片部ｖ２ａの自由端部は、側部保護蓋２側に位置しており、弾性片部ｖ２ａの自由端部に形成された係止突部ｖ２ｂの側部保護蓋２側に位置する側面は、垂直側面ｖ２ｂ’として形成されており、係止突部ｖ２ｂの嵌合部材Ｖ１に位置する側面は、傾斜面ｖ２ｂ”として形成されている。
【００３２】
上述した一対の嵌合部材Ｖ１と１個の係止部材Ｖ２は、略平行に並設されており、本実施例においては、一対の嵌合部材Ｖ１が、カードホルダー本体１を構成する垂直側部フランジ１ｄ側に形成されており、係止部材Ｖ２が、側部保護蓋２側に形成されている。
【００３３】
また、カードホルダー本体１を構成する奥壁１ａに形成された一対の嵌合部材Ｖ１の垂直片ｖ１ａ間の間隔は、容器Ｂの側壁Ｂ’に形成された凹部ｂ１の奥壁部ｂ１ａに穿設された３個の長孔ｂ２ａ、ｂ２ｂ、ｂ２ｃのうちの隣り合う２個の長孔ｂ２ａ、ｂ２ｂの間隔と略同じになるように構成されており、また、係止部材Ｖ２の係止突部ｖ２ｂと、係止部材Ｖ２の隣に位置する嵌合部材Ｖ１の垂直片ｖ１ａとの間隔は、３個の長孔ｂ２ａ、ｂ２ｂ、ｂ２ｃのうちの隣り合う２個の長孔ｂ２ｂ、ｂ２ｃの間隔と略同じになるように構成されている。
【００３４】
ＩＣカードＫが収容されたカードホルダーＳを、容器Ｂの側壁Ｂ’に形成された凹部ｂ１を構成する奥壁部ｂ１ａの外面ｂ１ａ’に取り付けるには、先ず最初に、図１２に示されているように、カードホルダーＳのカードホルダー本体１に形成された一対の嵌合部材Ｖ１の傾斜誘導部ｖ１ｂ’を、奥壁部ｂ１ａに穿設された３個の長孔ｂ２ａ、ｂ２ｂ、ｂ２ｃのうちの隣り合う２個の長孔ｂ２ａ、ｂ２ｂに挿入する。この状態においては、カードホルダー本体１に形成された係止部材Ｖ２を構成する弾性片部ｖ２ａの係止突部ｖ２ｂは、容器Ｂの側壁Ｂ’に形成された凹部ｂ１を構成する奥壁部ｂ１ａの外面ｂ１ａ’に当接しており、弾性片部ｖ２ａは、奥壁部ｂ１ａの外面ｂ１ａ’から離反する方向に湾曲するように弾性変形している。
【００３５】
次いで、嵌合部材Ｖ１の傾斜誘導部ｖ１ｂ’に続く嵌合片ｖ１ｂが、奥壁部ｂ１ａに穿設された３個の長孔ｂ２ａ、ｂ２ｂ、ｂ２ｃのうちの隣り合う２個の長孔ｂ２ａ、ｂ２ｂに挿入されるように、ＩＣカードＫが収容されたカードホルダーＳを、容器Ｂの側壁Ｂ’に沿って水平移動させると、嵌合部材Ｖ１の垂直片ｖ１ａが、前記奥壁部ｂ１ａに穿設された隣り合う２個の長孔ｂ２ａ、ｂ２ｂを構成する、嵌合部材Ｖ１の挿入方向前方に位置する垂直縁ｂ２ａ’、ｂ２ｂ’に当接或いは近接して位置することになる。このように、嵌合部材Ｖ１の垂直片ｖ１ａが、前記奥壁部ｂ１ａに穿設された隣り合う２個の長孔ｂ２ａ、ｂ２ｂを構成する、嵌合部材Ｖ１の挿入方向前方に位置する垂直縁ｂ２ａ’、ｂ２ｂ’に当接或いは近接した際には、容器Ｂの側壁Ｂ’に形成された凹部ｂ１を構成する奥壁部ｂ１ａの外面ｂ１ａ’に当接していた係止部材Ｖ２の弾性片部ｖ２ａに形成された係止突部ｖ２ｂが、図１３及び図１４に示されているように、弾性変形していた弾性片部ｖ２ａの弾性復元力により、奥壁部ｂ１ａに穿設された３個の長孔ｂ２ａ、ｂ２ｂ、ｂ２ｃのうちの長孔ｂ２ｃに嵌合されることになる。このようにして、図１５に示されているように、ＩＣカードＫが収容されたカードホルダーＳを、容器Ｂの側壁Ｂ’に取り付けられることになる。
【００３６】
上述したようにして、ＩＣカードＫが収容されたカードホルダーＳが、容器Ｂの側壁Ｂ’に形成された凹部ｂ１を構成する奥壁部ｂ１ａの外面ｂ１ａ’に取り付けられた際には、奥壁部ｂ１ａに穿設された長孔ｂ２ｃに嵌合された係止部材Ｖ２の弾性片部ｖ２ａに形成された係止突部ｖ２ｂの垂直側面ｖ２ｂ’が、長孔ｂ２ｃの側部保護蓋２側に位置する垂直縁ｂ２ｃ’に当接或いは近接して位置するように構成されている。したがって、ＩＣカードＫが収容されたカードホルダーＳの嵌合部材Ｖ１が、容器Ｂの側壁Ｂ’に形成された凹部ｂ１の奥壁部ｂ１ａに穿設された長孔ｂ２ａ、ｂ２ｂから抜けでる方向に、カードホルダーＳが移動しようとしても、係止部材Ｖ２の弾性片部ｖ２ａに形成された係止突部ｖ２ｂの垂直側面ｖ２ｂ’が、長孔ｂ２ｃの側部保護蓋２側に位置する垂直縁ｂ２ｃ’に当接することになり、簡単には、ＩＣカードＫが収容されたカードホルダーＳが、容器Ｂの側壁Ｂ’から外れないように構成されている。
【００３７】
ＩＣカードＫに蓄積される情報は、リーダー・ライターにより、自由に、読み出しや書き込みができるものであり、したがって、容器Ｂに取り付けられた、ＩＣカードＫが収容されたカードホルダーＳやＩＣカードＫは、容器Ｂから取り外す必要がなく、むしろ、容器Ｂからの取り外しが困難なように構成することが好ましい。
【００３８】
上述したように、ＩＣカードＫが収容されたカードホルダーＳの嵌合部材Ｖ１が、容器Ｂの側壁Ｂ’に形成された凹部ｂ１の奥壁部ｂ１ａに穿設された長孔ｂ２ａ、ｂ２ｂから抜けでる方向に、カードホルダーＳが移動しようとしても、係止部材Ｖ２の弾性片部ｖ２ａに形成された係止突部ｖ２ｂの垂直側面ｖ２ｂ’が、長孔ｂ２ｃの側部保護蓋２側に位置する垂直縁ｂ２ｃ’に当接するように構成されているので、ＩＣカードＫが収容されたカードホルダーＳが、簡単には、容器Ｂから外れるようなことがない。
【００３９】
また、図１４に示されているように、ＩＣカードＫが収容されたカードホルダーＳが、容器Ｂの側壁Ｂ’に取り付けられた状態から、カードホルダー本体１の奥壁１ａに形成された係止部材Ｖ２を構成する弾性片部ｖ２ａに形成された係止突部ｖ２ｂを、容器Ｂの側壁Ｂ’に形成された凹部ｂ１を構成する奥壁部ｂ１ａに穿設された長孔ｂ２ｃから排出させるために、係止部材Ｖ２の弾性片部ｖ２ａに形成された係止突部ｖ２ｂを、容器Ｂの側壁Ｂ’に形成された凹部ｂ１を構成する奥壁部ｂ１ａの内面ｂ１ａ”側から、カードホルダー本体１内に押し出そうとしても、係止部材Ｖ２の弾性片部ｖ２ａが、ＩＣカードＫに当接するとともに、ＩＣカードＫが、カードホルダー本体１を構成する上部垂下壁１ｅ及び下部垂下壁１ｆに当接し、係止部材Ｖ２の弾性片部ｖ２ａに形成された係止突部ｖ２ｂが、容器Ｂの側壁Ｂ’に形成された凹部ｂ１を構成する奥壁部ｂ１ａに穿設された長孔ｂ２ｃから排出する程度まで移動することがないように構成されているので、ＩＣカードＫが収容されたカードホルダーＳが、容器Ｂの側壁Ｂ’に取り付けられた際には、簡単には、ＩＣカードＫが収容されたカードホルダーＳが、容器Ｂから取り外されるようなことはない。
【００４０】
更に、ＩＣカードＫが収容されたカードホルダーＳが、容器Ｂの側壁Ｂ’に形成された凹部ｂ１の奥壁部ｂ１ａの外面ｂ１ａ’に取り付けられた際には、カードホルダーＳの側部保護蓋２を構成する板状部２ａの垂直端面２ａ３が、容器Ｂの側壁Ｂ’に形成された凹部ｂ１を構成する奥壁ｂ１ａの外面ｂ１ａ’に、当接或いは近接して位置することになり、したがって、側部保護蓋２が、ヒンジ連結部Ｈ１を中心に、カードホルダー本体１から離反する方向に回動しようとした際には、カードホルダーＳの側部保護蓋２を構成する板状部２ａの垂直端面２ａ３が、凹部ｂ１を構成する奥壁ｂ１ａの外面ｂ１ａ’に当接することになり、よって、側部保護蓋２の回動が抑制されることになり、簡単には、側部保護蓋２が回動し、カードホルダー本体１の側部が開放されないように構成されている。
【００４１】
図１６に示されているように、ＩＣカードＫが収容されたカードホルダーＳが、容器Ｂの側壁Ｂ’に形成された凹部ｂ１の奥壁部ｂ１ａの外面ｂ１ａ’に取り付けられた際には、カードホルダー本体１の奥壁１ａに形成された係止部材Ｖ２を構成する弾性片部ｖ２ａに形成された係止突部ｖ２ｂが、容器Ｂの側壁Ｂ’に形成された凹部ｂ１を構成する奥壁部ｂ１ａと側部ｂ１ｄとにより形成される隅部ｂ１’の近傍に位置するように構成することが好ましい。このように構成することにより、容器Ｂの側壁Ｂ’に形成された凹部ｂ１を構成する奥壁部ｂ１ａと側部ｂ１ｄとにより形成される隅部ｂ１’付近に、容器Ｂに収容された物品Ｌが接近しても、物品Ｌにより、係止部材Ｖ２を構成する弾性片部ｖ２ａに形成された係止突部ｖ２ｂが押されて、係止部材Ｖ２の弾性片部ｖ２ａに形成された係止突部ｖ２ｂが、容器Ｂの側壁Ｂ’に形成された凹部ｂ１を構成する奥壁部ｂ１ａに穿設された長孔ｂ２ｃから排出するようなことを防止することができる。
【００４２】
上述したように、嵌合部材Ｖ１及び係止部材Ｖ２が形成されたカードホルダーＳを、容器Ｂの側壁Ｂ’に取り付ける際に．カードホルダーＳに形成された嵌合部材Ｖ１を、容器Ｂの側壁Ｂ’に穿設された長孔ｂ２ａ、ｂ２ｂに挿入した後、カードホルダーＳを、容器Ｂの側壁Ｂ’に沿って水平移動させることにより、係止部材Ｖ２の弾性片部ｖ２ａに形成された係止突部ｖ２ｂを、容器Ｂの側壁Ｂ’に穿設された長孔ｂ２ｃに嵌合させて、カードホルダーＳを、容器Ｂの側壁Ｂ’に取り付けるように構成したので、カードホルダーＳを変形させることなく、容器Ｂの側壁Ｂ’に取り付けることができるので、弾性変形することが困難な板状のＩＣカードＫが収容された状態のカードホルダーＳを、容器Ｂの側壁Ｂ’に取り付けることができる。
【００４３】
なお、上述した、容器Ｂの側壁Ｂ’に穿設された縦長の長孔ｂ２ａ、ｂ２ｂ、ｂ２ｃは、公知の容器Ｂの側壁Ｂ’に形成されている通気孔を利用することもできる。
【００４４】
また、１ｉは、カードホルダーＳの嵌合部材Ｖ１を、容器Ｂの側壁Ｂ’に形成された凹部ｂ１の奥壁部ｂ１ａに形成するための金型設計上の透孔である。
【００４５】
次に、図１７及び図１８を用いて、カードホルダー本体１と側部保護蓋２とをヒンジ連結する別の実施例のヒンジ連結部Ｈ２等について説明する。
【００４６】
この実施例においては、上述したカードホルダー本体１と側部保護蓋２とのヒンジ連結部Ｈ１に代えて、カードホルダー本体１を構成する奥壁１ａと側部保護蓋２を構成する板状部２ａとの間に、カードホルダー本体１を構成する奥壁１ａと側部保護蓋２を構成する板状部２ａとが、略面一に並設された状態において、奥壁１ａに対して垂直な水平断面形状が略Ｖ字状の溝Ｇ１を形成することにより、カードホルダー本体１と側部保護蓋２とを、薄肉部ｇ１を有する公知のヒンジ連結部Ｈ２によりヒンジ連結したものである。
【００４７】
また、側部保護蓋２を構成する板状部２ａの外面２ａ”には、板状部２ａの幅方向に延在する三角形状の突っ張りリブ２ｇが形成されている。三角形状の突っ張りリブ２ｇの直角部を構成する一辺２ｇ１は、ヒンジ連結部Ｈ２に略一致するように位置し、傾斜辺２ｇ２は、側壁部２ｂ付近まで達している。このような、三角形状の突っ張りリブ２ｇは、複数個、形成することができる。
【００４８】
ＩＣカードＫが収容されたカードホルダーＳを、容器Ｂの側壁Ｂ’に形成された凹部ｂ１の奥壁部ｂ１ａの外面ｂ１ａ’に取り付けた際には、図１８に示されているように、三角形状の突っ張りリブ２ｇの一辺２ｇ１が、奥壁部ｂ１ａの外面ｂ１ａ’に当接或いは近接して位置することになり、したがって、側部保護蓋２が、ヒンジ連結部Ｈ２を中心に、カードホルダー本体１から離反する方向に回動しようとした際には、カードホルダーＳの側部保護蓋２を構成する板状部２ａに形成された三角形状の突っ張りリブ２ｇの一辺２ｇ１が、凹部ｂ１を構成する奥壁ｂ１ａの外面ｂ１ａ’に当接することになり、よって、側部保護蓋２の回動が抑制されることになり、簡単には、側部保護蓋２が回動し、カードホルダー本体１の側部が開放されないように構成されている。
【図面の簡単な説明】
【００４９】
【図１】図１は、本発明のカードホルダーの斜視図である。
【図２】図２は、本発明のカードホルダーの部分拡大斜視図である。
【図３】図３は、本発明のカードホルダーの水平断面図である。
【図４】図４は、本発明のカードホルダーの部分拡大平面図である。
【図５】図５は、本発明のカードホルダーの水平断面図である。
【図６】図６は、ＩＣカードが挿入途中の本発明のカードホルダーの斜視図である。
【図７】図７は、ＩＣカードが挿着された状態の本発明のカードホルダーの斜視図である。
【図８】図８は、ＩＣカードが挿着されていない状態の本発明のカードホルダーの斜視図である。
【図９】図９は、本発明のカードホルダーが取り付けられる一例としての容器の外側からの部分拡大斜視図である。
【図１０】図１０は、本発明のカードホルダーが取り付けられる一例としての容器の内側からの部分拡大斜視図である。
【図１１】図１１は、本発明のカードホルダーの裏面斜視図である。
【図１２】図１２は、本発明のカードホルダーが取り付けられた状態の容器の内側からの一部断面を含む部分拡大斜視図である。
【図１３】図１３は、本発明のカードホルダーが取り付けられた状態の容器の内側からの部分拡大斜視図である。
【図１４】図１４は、本発明のカードホルダーが取り付けられた状態の水平断面図である。
【図１５】図１５は、本発明のカードホルダーが取り付けられた状態の斜視図である。
【図１６】図１６は、容器に物品が収容された状態の水平断面図である。
【図１７】図１７は、本発明の更に別の実施例のカードホルダーの水平断面図である。
【図１８】図１８は、図１７に示されているカードホルダーが、容器に取り付けられた状態のカードホルダーの水平断面図である。
【符号の説明】
【００５０】
Ｂ・・・・・・・・・・・・容器
Ｋ・・・・・・・・・・・・ＩＣカード
Ｓ・・・・・・・・・・・・カードホルダー
Ｖ１・・・・・・・・・・・嵌合部材
Ｖ２・・・・・・・・・・・係止部材
１・・・・・・・・・・・・カードホルダー本体
１ａ・・・・・・・・・・・奥壁
１ｂ・・・・・・・・・・・上端水平フランジ
１ｃ・・・・・・・・・・・下端水平フランジ
１ｄ・・・・・・・・・・・垂直側部フランジ
２・・・・・・・・・・・・側部保護蓋
２ａ・・・・・・・・・・・板状部
２ｂ・・・・・・・・・・・側壁部
【図１】
2010083502.tif 000003
【図２】
2010083502.tif 000004
【図３】
2010083502.tif 000005
【図４】
2010083502.tif 000006
【図５】
2010083502.tif 000007
【図６】
2010083502.tif 000008
【図７】
2010083502.tif 000009
【図８】
2010083502.tif 000010
【図９】
2010083502.tif 000011
【図１０】
2010083502.tif 000012
【図１１】
2010083502.tif 000013
【図１２】
2010083502.tif 000014
【図１３】
2010083502.tif 000015
【図１４】
2010083502.tif 000016
【図１５】
2010083502.tif 000017
【図１６】
2010083502.tif 000018
【図１７】
2010083502.tif 000019
【図１８】
2010083502.tif 000020